(57)【特許請求の範囲】
【請求項１】
パス通信装置と、このパス通信装置間に設置される下位レイヤパス通信装置とで構成され、
前記パス通信装置は、パス通信装置間の通信路を複数提供する機能と、前記通信路を複数まとめた仮想大容量パスを制御する機能とを有し、
前記下位レイヤパス通信装置は、下位レイヤパスにより前記下位レイヤパス通信装置間の通信路を提供する機能を有する
ネットワークにおける仮想大容量パス制御方法において、
前記仮想大容量パスを設定または削除する際に、
前記パス通信装置は、
仮想大容量パスに対応する下位レイヤパスの本数を把握するステップと、
前記下位レイヤパス通信装置に下位レイヤパスの設定要求または削除要求を、前記把握した下位レイヤパスの本数回行うステップと
を実行することを特徴とする仮想大容量パス制御方法。
【請求項２】
パス通信装置と、このパス通信装置間に設置される下位レイヤパス通信装置とで構成され、
前記パス通信装置は、パス通信装置間の通信路を複数提供する機能と、前記通信路を複数まとめた仮想大容量パスを制御する機能とを有し、
前記下位レイヤパス通信装置は、下位レイヤパスにより前記下位レイヤパス通信装置間の通信路を提供する機能を有する
ネットワークにおける仮想大容量パス制御方法において、
前記仮想大容量パスの帯域を変更する際に、
前記パス通信装置は、
仮想大容量パスの帯域増または帯域減に一致する下位レイヤパスの本数を把握するステップと、
前記下位レイヤパス通信装置に下位レイヤパスの設定要求または削除要求を、前記把握した下位レイヤパスの本数回行うステップと
を実行することを特徴とする仮想大容量パス制御方法。
【請求項３】
前記下位レイヤパスの本数を把握するステップにおいて、前記パス通信装置は、ＬＭＰによるリンク管理プロトコル、または、ＧＭＰＬＳ、ＯＵＮＩ、ＧＭＰＬＳ−ＵＮＩによるシグナリングプロトコル、または、ＯＳＰＦ、ＢＧＰ、ＲＩＰによるルーティングプロトコル、または、前記プロトコルを拡張したプロトコルを用いて、前記下位レイヤパス通信装置と通信を行う請求項１または２記載の仮想大容量パス制御方法。
【請求項４】
前記下位レイヤパスの設定要求または削除要求に、ＧＭＰＬＳ、ＯＵＮＩ、ＧＭＰＬＳ−ＵＮＩによるシグナリングプロトコル、または、前記シグナリングプロトコルを拡張したプロトコルを用いる請求項１または２記載の仮想大容量パス制御方法。
【請求項５】
前記下位レイヤパスの設定要求または削除要求を行った際に、前記下位レイヤパス間では、ＧＭＰＬＳによるシグナリングプロトコルによる下位レイヤパスが設定または削除される請求項１または２記載の仮想大容量パス制御方法。
【請求項６】
前記パス通信装置における前記仮想大容量パスを制御する機能に、ＩＥＥＥ８０２．３ａｄ
Ｌｉｎｋ Ａｇｇｒｅｇａｔｉｏｎ、または、ＩＴＵ−Ｔ
Ｇ．７０７ Ｖｉｒｔｕａｌ Ｃｏｎｃａｔｅｎａｔｉｏｎ、または、ＩＥＴＦ ＲＦＣ１７１７ ＰＰＰ Ｍｕｌｔｉｌｉｎｋ Ｐｒｏｔｏｃｏｌ(ＰＰＰＭＰ)を利用する請求項１または２記載の仮想大容量パス制御方法。
【請求項７】
前記仮想大容量パスと、前記仮想大容量パスに含まれる下位レイヤパスとの関係を管理する管理機能を有し、
前記仮想大容量パスの削除を行う際に、前記管理機能に対して前記関係を削除するステップと、
前記仮想大容量パスの設定を行う際に、前記管理機能に対して前記関係を登録するステップと
を実行する請求項１記載の仮想大容量パス制御方法。
【請求項８】
前記仮想大容量パスと、前記仮想大容量パスに含まれる下位レイヤパスとの関係を管理する管理機能を有し、
前記仮想大容量パスの帯域変更を行う際に、前記管理機能に対して前記関係を変更するステップと、
前記仮想大容量パスの帯域変更を行う際に、前記管理機能に対して前記関係を変更するステップと
を実行する請求項２記載の仮想大容量パス制御方法。
【請求項９】
パス通信装置と、このパス通信装置間に設置される下位レイヤパス通信装置とで構成され、
前記パス通信装置は、パス通信装置間の通信路を複数提供する機能と、前記通信路を複数まとめた仮想大容量パスを制御する機能とを有し、
前記下位レイヤパス通信装置は、下位レイヤパスにより前記下位レイヤパス通信装置間の通信路を提供する機能を有する
ネットワークに用いるパス通信装置において、
前記パス通信装置は、
仮想大容量パスの設定または削除または帯域変更を行うときに、前記仮想大容量パスに対応する下位レイヤパスの設定または削除する本数を導出する機能と、
前記下位レイヤパス通信装置に下位レイヤパスの設定要求または削除要求を、前記導出した下位レイヤパスの本数回行う機能と
を有することを特徴とするパス通信装置。
【発明の詳細な説明】
【技術分野】
【０００１】
本発明は、レイヤの異なるパスネットワーク間におけるパスの制御に利用する。特に、複数のパスを集束して形成される仮想大容量パスの制御技術に関する。
【背景技術】
【０００２】
近年、大容量トラフィックを効率的にネットワークに収容するネットワークとしてパスネットワークが注目され、パスを設定、もしくは削除するためのパス制御シグナリングプロトコルの研究開発が進められている。例えば、ＩＥＴＦを中心にＭＰＬＳが研究開発され、ＩＥＴＦ  ＲＦＣ３０３１として標準化され、ルータおよびレイヤ２／３スイッチへの実装が始まった。また、ＩＥＴＦを中心にＧＭＰＬＳが研究開発され、ＩＥＴＦ  ＲＦＣ３４７１として標準化され、ルータ、レイヤ２／３スイッチ、ＯＸＣ（光クロスコネクト装置）およびＳＯＮＥＴ／ＳＤＨ装置への実装が始まった。
【０００３】
さらに、ＯＵＮＩ、およびＧＭＰＬＳ−ＵＮＩというパス制御シグナリングプロトコルが登場し、また、ＧＭＰＬＳの研究開発が進み、レイヤの異なるパスネットワーク間でパスを設定すること、およびパスを削除することが可能となった。前記のパス制御シグナリングプロトコルの登場により、例えば、ルータもしくはレイヤ２／３スイッチで構成されたパケット単位のパスネットワークから、ＯＸＣで構成された波長単位のパスネットワークを介し、他のパケット単位のパスネットワークに対してパスを設定、もしくは削除することが可能となった。
【０００４】
また、近年、ルータ、レイヤ２／３スイッチ、ＳＯＮＥＴ／ＳＤＨ装置、もしくはＯＸＣなどで構成されるノードは、他のノードとの間を複数の通信路で接続し、大容量トラフィックを転送している。
【０００５】
そこで、ルータおよびレイヤ２／３スイッチは、ＩＥＥＥ８０２．３ａｄ準拠のＬｉｎｋ  Ａｇｇｒｅｇａｔｉｏｎ、ＳＯＮＥＴ  Ｌｉｎｋ  Ａｇｇｒｅｇａｔｉｏｎ、もしくはＰＰＰＭＰなどを利用して複数の通信路を１本の通信路として集束し、その１本の通信路を仮想大容量パスとして管理し、通信路の管理と制御を容易化している。また、ＳＯＮＥＴ／ＳＤＨ装置は、ＩＴＵ−Ｔ  Ｇ．７０７  Ｖｉｒｔｕａｌ  Ｃｏｎｃａｔｅｎａｔｉｏｎを利用して複数の通信路を１本の仮想大容量パスとして管理し、通信路の管理と制御を容易化している。
【０００６】
【非特許文献１】ＩＥＴＦ  ＲＦＣ３４７１“Ｇｅｎｅｒａｌｉｚｅｄ  Ｍｕｌｔｉ−Ｐｒｏｔｏｃｏｌ  Ｌａｂｅｌ  Ｓｗｉｔｃｈｉｎｇ（ＧＭＰＬＳ）  Ｓｉｇｎａｌｉｎｇ  Ｆｕｎｃｔｉｏｎａｌ  Ｄｅｓｃｒｉｐｔｉｏｎ”
【非特許文献２】ＩＥＴＦ  ＲＦＣ３４７２“Ｇｅｎｅｒａｌｉｚｅｄ  Ｍｕｌｔｉ−Ｐｒｏｔｏｃｏｌ  Ｌａｂｅｌ  Ｓｗｉｔｃｈｉｎｇ（ＧＭＰＬＳ）  Ｓｉｇｎａｌｉｎｇ  Ｃｏｎｓｔｒａｉｎｔ−ｂａｓｅｄ  Ｒｏｕｔｅｄ  Ｌａｂｅｌ  Ｄｉｓｔｒｉｂｕｔｉｏｎ  Ｐｒｏｔｏｃｏｌ（ＣＲ−ＬＤＰ）  Ｅｘｔｅｎｓｉｏｎｓ”
【発明の開示】
【発明が解決しようとする課題】
【０００７】
ルータもしくはレイヤ２／３スイッチが、ＳＯＮＥＴ／ＳＨＤ装置もしくはＯＸＣで構成された下位レイヤパス網を介し、他のルータもしくはレイヤ２／３スイッチとの間で複数の通信路を設定して通信路上にパスを設定する場合に、ルータもしくはレイヤ２／３スイッチは複数の通信路を仮想大容量パスに集束し、仮想大容量パス毎にパスを設定することができる。しかし、下位レイヤパス網は、その複数の通信路が上位レイヤのルータもしくはレイヤ２／３スイッチによって集束されているか否かを識別できない。結果として、下位レイヤパス網では通信路毎に下位レイヤパスを設定する。
【０００８】
一方、上記のような状況において、従来技術のＧＭＰＬＳ、ＯＵＮＩ、およびＧＭＰＬＳ−ＵＮＩなどのパス制御シグナリングプロトコルは、通信路毎、つまり、下位レイヤパス毎にパスを設定することを前提としている。
【０００９】
従来のパス制御シグナリングプロトコルを実装されたルータもしくはレイヤ２／３スイッチは、上記のような状況において、仮想大容量パス毎に仮想大容量パスを設定できず、所望の通信路を設定できない。
【００１０】
本発明は、このような背景の下に行われたものであって、下位レイヤパス通信装置のパス制御方法に合わせ、通信路毎に仮想大容量パスを設定もしくは削除し、パス制御とパス管理について下位レイヤパス通信装置との互換性を確保すると共に、転送部の通信路の設定状態に合わせてトラフィックを転送し、転送部の通信路の状態とパス制御部のパスの状態の違いを補償することができる仮想大容量パス制御方法およびパス通信装置を提供することを目的とする。
【課題を解決するための手段】
【００１１】
本発明では、パス通信装置は、下位レイヤパス通信装置のパス制御方法に合わせ、通信路毎にパスを設定、もしくは削除し、パス制御とパス管理について下位レイヤパス通信装置との互換性を確保することを特徴とする。
【００１２】
また、本発明では、パス通信装置は、転送部の通信路の設定状態に合わせてトラフィックを転送し、転送部の通信路の状態とパス制御部のパスの状態との違いを補償することを特徴する。
【００１３】
第一の発明は、パス通信装置と、このパス通信装置間に設置される下位レイヤパス通信装置とで構成され、前記パス通信装置は、パス通信装置間の通信路を複数提供する機能と、前記通信路を複数まとめた仮想大容量パスを制御する機能とを有し、前記下位レイヤパス通信装置は、下位レイヤパスにより前記下位レイヤパス通信装置間の通信路を提供する機能を有するネットワークにおける仮想大容量パス制御方法である。
【００１４】
ここで、本発明の特徴とするところは、前記仮想大容量パスを設定または削除する際に、前記パス通信装置は、仮想大容量パスに対応する下位レイヤパスの本数を把握するステップと、前記下位レイヤパス通信装置に下位レイヤパスの設定要求または削除要求を、前記把握した下位レイヤパスの本数回行うステップとを実行するところにある。
【００１５】
図２にパス通信装置と下位レイヤパス通信装置とを接続したネットワークの一例を示す。設定用下位レイヤパス数把握ステップについて示す。パス通信装置１０、１１は、装置内に設定された情報により、下位レイヤパス通信装置２０、２１に複数通信路の集約機能がないことを認識し、下位レイヤパス網において設定される必要のある通信路の数について算出する。ただし、パス通信装置１０、１１内に設定情報がなくともよい場合がある。
【００１６】
参考例として、図２のような場合には、パス通信装置１０、１１間における通信路数と、下位レイヤパス通信装置２０、２１網における通信路数とが一致する場合、もしくは固定比率で決まっている場合には、パス通信装置１０、１１内に設定情報がなくともよい。
【００１７】
設定用パス制御シグナリングステップについて示す。図３は設定用パス制御シグナリングの一例であり、パス、下位レイヤパス、および通信路をＭ本設定する場合について示す。まず、パスの始点のノードからパスの終点のノードまで順々に設定要求を交換し、各ノードは設定要求の内容にしたがってパスもしくは下位レイヤパスを設定可能か判断する。
【００１８】
次に、パスの終点のノードからパスの始点のノードまで順々に設定を行って設定完了を交換する。最後に、パスの始点のノードからパスの終点のノードまでパスの設定確認を行う。ただし、本発明で使用される設定用パス設定シグナリングは図３のフローおよびメッセージ内容と異なっていてもよい。
【００１９】
設定用集束ステップについて示す。例えば、パス通信装置がレイヤ２以上の通信装置である場合には、ルーティングテーブルやフォワーディングテーブルなどの転送情報を変更し、複数の通信路を仮想的に１本の仮想大容量パスに集約する。パス通信装置がＳＯＮＥＴ／ＳＤＨ装置である場合は、複数の通信路に対してＩＴＵ−Ｔ  Ｇ．７０７  Ｖｉｒｔｕａｌ  Ｃｏｎｃａｔｅｎａｔｉｏｎの設定を行い、複数の通信路を仮想的に１本の仮想大容量パスに集束する。設定用集束ステップは、設定用パス設定シグナリングステップの一部として、設定用パス設定シグナリングステップと一体化されてもよい。
【００２０】
設定用転送情報変更ステップについて示す。上記のパス制御シグナリングの例であると、パス通信装置は、パス制御部においてＭ本の通信路が設定された状態となるが、一方、転送部において１本の通信路が設定された状態となり、転送部とパス制御部とで通信路の数の不一致が生じる。そこで、トラフィックを正しく転送するため、転送部ではルーティング情報、フォワーディング情報、負荷分散アルゴリズムなどの転送情報を修正する必要がある。
【００２１】
パスの設定状態の情報を転送情報から切り離し、仮想大容量パスの状態に合わせて転送情報を変更する。パス通信装置がＳＯＮＥＴ／ＳＤＨ装置のような転送情報を持たない通信装置である場合には、設定用転送情報変更ステップはないことが一般的である。一方、パス通信装置がレイヤ２以上の通信装置である場合には、設定用集束ステップと設定用転送情報変更ステップとは一体的な動作になる。大容量パス制御方式のパス、下位レイヤパス、通信路、および仮想大容量パスの設定は、以上のステップを含むことを特徴としているが、以上のステップの順番については入れ替わってもよい。
【００２２】
削除用下位レイヤパス数把握ステップについて示す。パス通信装置は、装置内に設定された情報により、下位レイヤパス通信装置に複数通信路の集束機能がないことを認識し、下位レイヤパス網において設定される必要のある通信路の数について算出する。上記と同様に、パス通信装置内に設定情報がなくともよい場合がある。
【００２３】
削除用パス制御シグナリングについて示す。図４は削除用パス制御シグナリングの一例であり、パス、下位レイヤパス、および通信路をＭ本削除する場合について示す。まず、パスの始点のノードからパスの終点のノードまで順々に削除要求を交換し、各ノードで削除を行う。ただし、本発明で使用される削除用パス制御シグナリングステップは図４のフローおよびメッセージ内容と異なっていてもよい。
【００２４】
削除用開放ステップについて示す。例えば、パス通信装置がレイヤ２以上の通信装置である場合には、ルーティングテーブルやフォワーディングテーブルなどの転送情報を変更し、仮想大容量パスに組み込まれている通信路を開放する。パス通信装置がＳＯＮＥＴ／ＳＤＨ装置である場合には、仮想大容量パスに対してＩＴＵ−Ｔ  Ｇ．７０７  Ｖｉｒｔｕａｌ  Ｃｏｎｃａｔｅｎａｔｉｏｎの設定を開放し、仮想大容量パスに組み込まれた通信路を開放する。削除用開放ステップは、削除用パス制御シグナリングステップの一部として、削除用パス制御シグナリングステップと一体化されてもよい。
【００２５】
削除用転送情報変更ステップについて示す。仮想大容量パスおよび通信路がなくなったことを転送情報に反映させる。パス通信装置がＳＯＮＥＴ／ＳＤＨ装置のような転送情報を持たない通信装置である場合には、削除用転送情報変更ステップはないことが一般的である。一方、パス通信装置がレイヤ２以上の通信装置である場合には、削除用開放ステップと削除用転送情報変更ステップとは一体的な動作になる。大容量パス制御方式のパス、下位レイヤパス、通信路、および仮想大容量パスの削除は、以上のステップを含むことを特徴としているが、以上のステップの順番については入れ替わってもよい。
【００２６】
前記第一および後記第二の発明では、図２のように、パス制御部と下位レイヤパス制御部とは通信路で接続されている必要がある。また、転送部と下位レイヤ転送部とは、トラフィックを転送する際、通信路で接続される必要がある。パス制御部と下位レイヤパス制御部との接続用の通信路として、転送部と下位レイヤ転送部とを接続する通信路を利用できる。この場合には、パス通信装置はパス制御部と転送部とに分離していなくともよい。同様に、下位レイヤパス通信装置は下位レイヤパス制御部と下位レイヤ転送部とに分離していなくともよい。
【００２７】
第二の発明は、第一の発明を基に、前記仮想大容量パスの帯域を変更する際に、前記パス通信装置は、仮想大容量パスの帯域増または帯域減に一致する下位レイヤパスの本数を把握するステップと、前記下位レイヤパス通信装置に下位レイヤパスの設定要求または削除要求を、前記把握した下位レイヤパスの本数回行うステップとを実行することを特徴とする。
【００２８】
増設用下位レイヤパス数把握ステップは、パス通信装置は、装置内に設定された情報により、下位レイヤパス通信装置に複数通信路の集束機能がないことを認識し、下位レイヤパス網において設定される必要のある通信路の数について算出する。上記と同様に、パス通信装置内に設定情報がなくともよい場合がある。
【００２９】
増設用パス制御シグナリングステップについて示す。図３は増設用パス制御シグナリングの一例であり、パス、下位レイヤパス、および通信路をＭ本増設する場合について示す。まず、パスの始点のノードからパスの終点のノードまで順々に設定要求を交換し、各ノードは設定要求の内容にしたがってパスもしくは下位レイヤパスを設定可能か判断する。
【００３０】
次に、パスの終点のノードからパスの始点のノードまで順々に設定を行って設定完了を交換する。最後に、パスの始点のノードから終点のノードまでパスの設定確認を行う。ただし、本発明で使用される増設用パス制御シグナリングは図３のフローおよびメッセージ内容と異なってもよい。
【００３１】
増設用集束変更ステップについて示す。例えば、パス通信装置がレイヤ２以上の通信装置である場合には、ルーティングテーブルやフォワーディングテーブルなどの転送情報を変更し、増設された通信路を仮想大容量パスに組み入れる。パス通信装置がＳＯＮＥＴ／ＳＤＨ装置である場合には、複数の通信路に対してＩＴＵ−Ｔ  Ｇ．７０７  Ｖｉｒｔｕａｌ  Ｃｏｎｃａｔｅｎａｔｉｏｎの設定を変更し、増設された通信路を仮想大容量パスに組み入れる。増設用集束変更ステップは、増設用パス制御シグナリングステップの一部として、増設用パス制御シグナリングステップと一体化されてもよい。
【００３２】
増設用転送情報変更ステップについて示す。パスの設定状態の情報を転送情報から切り離し、仮想大容量パスの状態に合わせて転送情報を変更する。パス通信装置がＳＯＮＥＴ／ＳＤＨ装置のような転送情報を持たない通信装置である場合には、増設用転送情報変更ステップはないことが一般的である。一方、パス通信装置がレイヤ２以上の通信装置である場合には、増設用集束変更ステップと増設用転送情報変更ステップとは一体的な動作になる。大容量パス制御方式の通信路の増設は、以上のステップを含むことを特徴としているが、以上のステップの順番については入れ替わってもよい。
【００３３】
削減用下位レイヤパス数把握ステップについて示す。パス通信装置は、装置内に設定された情報により、下位レイヤパス通信装置に複数通信路の集束機能がないことを認識し、下位レイヤパス網において設定される必要のある通信路の数について算出する。上記と同様、パス通信装置内に設定情報がなくともよい場合がある。
【００３４】
削減用パス制御シグナリングについて示す。図４は削減用パス制御シグナリングの一例であり、パス、下位レイヤパス、および通信路をＭ本削減する場合について示す。まず、パスの始点のノードからパスの終点のノードまで順々に削除要求を交換し、各ノードで削除を行う。ただし、本発明で使用される削減用パス制御シグナリングステップは図４のフローおよびメッセージ内容と異なってもよい。
【００３５】
削減用開放ステップについて示す。例えば、パス通信装置がレイヤ２以上の通信装置である場合に、ルーティングテーブルやフォワーディングテーブルなどの転送情報を変更し、削除された通信路を仮想大容量パスから開放する。パス通信装置がＳＯＮＥＴ／ＳＤＨ装置である場合には、仮想大容量パスに対してＩＴＵ−Ｔ  Ｇ．７０７  Ｖｉｒｔｕａｌ  Ｃｏｎｃａｔｅｎａｔｉｏｎの設定を変更し、削除された通信路を仮想大容量パスから開放する。削減用集束変更ステップは、削減用パス制御シグナリングステップの一部として、削減用パス制御シグナリングステップと一体化されてもよい。
【００３６】
削減用転送情報変更ステップについて示す。仮想大容量パスを構成する通信路が少なくなったことを転送情報に反映させる。パス通信装置がＳＯＮＥＴ／ＳＤＨ装置のような転送情報を持たない通信装置である場合に、削減用転送情報変更ステップはないことが一般的である。一方、パス通信装置がレイヤ２以上の通信装置である場合には、削減用集束変更ステップと削減用転送情報変更ステップとは一体的な動作になる。大容量パス制御方式の通信路の削減は、以上のステップを含むことを特徴としているが、以上のステップの順番については入れ替わってもよい。
【００３７】
第三の発明は、前記下位レイヤパスの本数を把握するステップにおいて、前記パス通信装置は、ＬＭＰによるリンク管理プロトコル、または、ＧＭＰＬＳ、ＯＵＮＩ、ＧＭＰＬＳ−ＵＮＩによるシグナリングプロトコル、または、ＯＳＰＦ、ＢＧＰ、ＲＩＰによるルーティングプロトコル、または、前記プロトコルを拡張したプロトコルを用いて、前記下位レイヤパス通信装置と通信を行うことができるところにある。
【００３８】
ＬＭＰなどのリンク管理プロトコルは、隣接する２台の通信装置が互いの通信路、およびパス、もしくは下位レイヤパスの接続関係がどうなっているのか、もしくはどうなる予定なのかを認識するため、通信路のインバンドもしくはアウトバンドで通信路状態情報を交換するプロトコルである。通信路には、他の通信路と識別可能なようにアドレス、もしくはＩＤ番号が付与される。シグナリングのメッセージには、通信路の両端点のアドレス、もしくはＩＤ番号が記載されている。ＬＭＰのメッセージには、通信路の両端点のアドレス、もしくはＩＤ番号が記載されるため、隣接する２台の通信装置間で通信路の接続状態がわかる。本発明では、パス制御部が隣接の下位レイヤパス制御部との間でリンク管理プロトコルのメッセージ交換を行い、通信路の接続関係、およびパス、下位レイヤパスの接続関係を認識し、パス１本に対して通信路および下位レイヤパスが何本必要かを算出する。
【００３９】
また、ＧＭＰＬＳ、ＯＵＮＩ、もしくはＧＭＰＬＳ−ＵＮＩなどのシグナリングプロトコルは、パスの始点から終点までの全ての通信装置間で、互いの通信路、およびパス、もしくは下位レイヤパスの接続関係がどうなっているのか、もしくはどうなる予定なのかを認識するため、通信路のインバンドもしくはアウトバンドで通信路状態情報を交換できるプロトコルである。シグナリングフローは図３および図４のようになっている。
【００４０】
パスを設定する際のシグナリングフローは、一般的に、パス設定後も定期的に行われてパスの維持を行う。通信路には、他の通信路と識別可能なようにアドレス、もしくはＩＤ番号が付与される。シグナリングプロトコルのメッセージには、通信路の両端点のアドレス、もしくはＩＤ番号が記載されているため、隣接する２台の通信装置間で通信路の接続状態がわかる。
【００４１】
本発明では、パス制御部が隣接の下位レイヤパス制御部との間で、パスを設定する際、もしくはパスを維持する際のシグナリングプロトコルのメッセージ交換を行い、通信路の接続関係、およびパス、下位レイヤパスの接続関係を認識し、パス１本に対して通信路および下位レイヤパスが何本必要かを算出する。
【００４２】
また、ＯＳＰＦ、ＢＧＰ、もしくはＲＩＰなどのルーティングプロトコルは、ネットワーク中の通信装置が隣接の通信装置との間で、互いの通信路、およびパス、もしくは下位レイヤパスの接続関係がどうなっているのか、もしくはどうなる予定なのかを認識するため、通信路のインバンドもしくはアウトバンドで通信路状態情報を交換できるプロトコルである。通信路には、他の通信路と識別可能なようにアドレス、もしくはＩＤ番号が付与される。ルーティングプロトコルのメッセージには、メッセージの送信側の通信路の端点のアドレス、もしくはＩＤ番号が記載されている。隣接する２台の通信装置間では主に双方向にメッセージ交換するため、ルーティングプロトコルのメッセージにより、通信装置および通信路の位置、およびネットワーク中の通信路の両端点のアドレス、もしくはＩＤ番号がわかり、隣接する２台の通信装置間は通信路の接続状態がわかる。
【００４３】
本発明では、パス制御部が隣接の下位レイヤパス制御部との間でルーティングプロトコルのメッセージ交換を行い、通信路の接続関係、およびパス、下位レイヤパスの接続関係を認識し、パス１本に対して通信路および下位レイヤパスが何本必要かを算出する。
【００４４】
第四の発明は、前記下位レイヤパスの設定要求または削除要求に、ＧＭＰＬＳ、ＯＵＮＩ、ＧＭＰＬＳ−ＵＮＩによるシグナリングプロトコル、または、前記シグナリングプロトコルを拡張したプロトコルを用いることができるところにある。
【００４５】
ＧＭＰＬＳは、レイヤの異なる複数の通信装置の間で、連携したパス制御を行うためのシグナリングプロトコルである。図３はＧＭＰＬＳシグナリングの一例である。
【００４６】
また、ＯＵＮＩは、レイヤの異なる複数の通信装置の間で、共通したパス制御を行うためのシグナリングプロトコルである。ＯＵＮＩは、レイヤの異なる２つの通信装置間で動作することを特徴としている。図５は、ＯＵＮＩでパスを設定する場合の一例である。ＯＵＮＩシグナリングによって、下位レイヤパス通信装置間のシグナリングが誘起される。
【００４７】
また、ＧＭＰＬＳ−ＵＮＩは、レイヤの異なる複数の通信装置の間で、共通したパス制御を行うためのシグナリングプロトコルである。ＧＭＰＬＳ−ＵＮＩは、レイヤの異なる２つの通信装置間で動作することを特徴としている。図５は、ＧＭＰＬＳ−ＵＮＩでパスを設定する場合の一例である。ＧＭＰＬＳ−ＵＮＩシグナリングによって、下位レイヤパス通信装置間のシグナリングが誘起される。
【００４８】
第五の発明は、前記下位レイヤパスの設定要求または削除要求を行った際に、前記下位レイヤパス間では、ＧＭＰＬＳによるシグナリングプロトコルによる下位レイヤパスが設定または削除されるところにある。
【００４９】
ＧＭＰＬＳは、レイヤの異なる複数の通信装置の間で、共通したパス制御を行うためのシグナリングプロトコルである。ＧＭＰＬＳは、パスの始点から終点までの全ての通信装置の間でシグナリングを行う。図３は、ＧＭＰＬＳでパスを設定する場合の一例である。
【００５０】
第六の発明は、前記パス通信装置における前記仮想大容量パスで制御する機能に、ＩＥＥＥ８０２．３ａｄ  Ｌｉｎｋ  Ａｇｇｒｅｇａｔｉｏｎ、または、ＩＴＵ−Ｔ  Ｇ．７０７  Ｖｉｒｔｕａｌ  Ｃｏｎｃａｔｅｎａｔｉｏｎ、または、ＩＥＴＦ  ＲＦＣ１７１７  ＰＰＰ  Ｍｕｌｔｉｌｉｎｋ  Ｐｒｏｔｏｃｏｌ(ＰＰＰＭＰ)を利用することができるところにある。
【００５１】
標準化団体ＩＥＥＥで定義された８０２．３ａｄ  Ｌｉｎｋ  Ａｇｇｒｅｇａｔｉｏｎは、複数の通信路を仮想的に１本の仮想大容量パスに集束する技術であり、仮想大容量パスに流入するトラフィックをパケット毎に仮想大容量パスを構成する通信路に振り分け、通信路から流出したパケット群をあたかも全てが同じ通信路を通ったかのように処理する。実際には、レイヤ２のフォワーディングテーブルや、レイヤ２以下で定義された負荷分配用のハッシュアルゴリズム、もしくはラウンドロビンアルゴリズムを変更することにより、複数の通信路を仮想大容量パスに集束する。
【００５２】
標準化団体ＩＴＵ−Ｔで定義されたＧ．７０７  Ｖｉｒｔｕａｌ  Ｃｏｎｃａｔｅｎａｔｉｏｎは、複数の通信路を仮想的に１本の仮想大容量パスに集束する技術であり、仮想大容量パスに流入するトラフィックをバイト毎に仮想大容量パスを構成する通信路に振り分け、通信路から流出したバイト信号群をあたかも全てが同じ通信路を通ったかのようにパケットに組み立て直す。実際には、ラウンドロビンアルゴリズムにしたがって、バイト信号を各通信路に振り分ける。
【００５３】
また、標準化団体ＩＥＴＦで定義されたＲＦＣ１７１７ＰＰＰＭＰは、複数の通信路を仮想的に１本の仮想大容量パスに集束する技術であり、仮想大容量パスに流入するトラフィックをＰＰＰフレーム毎に仮想大容量パスを構成する通信路に振り分け、通信路から流出したＰＰＰフレーム群をあたかも全てが同じ通信路を通ったかのように処理する。
【００５４】
第七の発明は、前記仮想大容量パスと、前記仮想大容量パスに含まれる下位レイヤパスとの関係を管理する管理機能を有し、前記仮想大容量パスを削除または帯域変更を行う際に、前記管理機能に対して前記関係を削除または変更するステップと、前記仮想大容量パスを設定または帯域変更を行う際に、前記管理機能に対して前記関係を登録または変更するステップとを実行することができるところにある。
【００５５】
パス制御部はパスをグループ番号とメンバ番号とで識別する。グループ番号とは、仮想大容量パス毎に割当てられた識別番号である。メンバ番号とは、通信路毎に割当てられた識別番号である。パス制御部は、対向側のパス制御部と通信を行い、互いのグループ番号、およびメンバ番号を認識する。パス制御部間の通信メッセージの中には、グループ番号、およびメンバ番号が記載される。
【００５６】
これにより、パス制御部は、ある特定の通信路、下位レイヤパス、パスを認識し、通信路、下位レイヤパス、パスの状態を管理および制御する。ただし、グループ番号、もしくはメンバ番号に類した情報でもよく、通信路、下位レイヤパス、パスを個別に識別できる情報であればよい。
【００５７】
また、パス制御部間の通信として、設定用パス制御シグナリングステップ、削除用パス制御シグナリングステップ、増設用パス制御シグナリングステップ、および削除用パス制御シグナリングステップを利用してもよく、シグナリングフローの拡張、もしくは、シグナリングメッセージの拡張を行う。パス管理ステップは、他のステップとの間で実施順序によらない。
【００５８】
第八の発明は、本発明の仮想大容量パス制御方法に適用されるパス通信装置の発明であり、前記パス通信装置は、仮想大容量パスの設定または削除または帯域変更を行うときに、前記仮想大容量パスに対応する下位レイヤパスの設定または削除する本数を導出する機能と、前記下位レイヤパス通信装置に下位レイヤパスの設定要求または削除要求を、前記導出した下位レイヤパスの本数回行う機能とを有することを特徴とする。
【発明の効果】
【００５９】
本発明によれば、下位レイヤパス通信装置のパス制御方法に合わせ、通信路毎にパスを設定もしくは削除し、パス制御とパス管理について下位レイヤパス通信装置との互換性を確保すると共に、転送部の通信路の設定状態に合わせてトラフィックを転送し、転送部の通信路の状態とパス制御部のパスの状態の違いを補償することができる。
【発明を実施するための最良の形態】
【００６０】
（第一実施例）
第一実施例を図６および図７を参照して説明する。図６は第一実施例の全体の動作フローを示す図である。図７は第一実施例のパス制御フローを示す図である。
【００６１】
パス制御部と下位レイヤパス制御部とが通信路によって接続され、また、下位レイヤパス制御部間も通信路によって接続されている。これにより、パス制御部は、下位レイヤパス制御部を介し、対向側のパス制御部との間で、通信路故障などがない限り、いつでもパス制御シグナリングを行うことができる。
【００６２】
図６のように、パス通信装置が、対向側のパス通信装置との間で、仮想大容量パス、およびパスを設定する場合と、削除する場合とに分かれる。まず、設定する場合について示す。
【００６３】
パス制御部は、パス制御部に設定された情報に基づいて、Ｍ本の通信路を集束して仮想大容量パス上にパスを設定する場合に、下位レイヤパス通信装置の網においてＮ本の下位レイヤパスおよび通信路を設定する必要があると認識できる。通常、ＭとＮとは同数である。
【００６４】
ここで、下位レイヤパス数を把握するステップについて詳細に説明する。パス通信装置が事前設定を利用して設定用下位レイヤパス数を把握することができる。下位レイヤパスおよびパス用の通信路と、パスとの接続関係がＮ：Ｍのような特定の比率で固定されている場合には、パス通信装置が、下位レイヤパス通信装置を介して、対向側のパス通信装置に対して１本のパスを設定する場合に、下位レイヤパス通信装置において下位レイヤパスおよび通信路を（Ｎ／Ｍ）本を設定する必要があることが事前に分かっている。つまり、パス通信装置にＬ本のパスを設定する場合には（ＬＮ／Ｍ）回のパス設定用シグナリングを行う必要があることが事前に分かっている。パス通信装置は、事前に設定を行うことにより、パスを設定する際に必要な下位レイヤパスシグナリング回数を把握できる。
【００６５】
あるいは、パス通信装置がＬＭＰもしくはリンク管理プロトコルを利用して設定用下位レイヤパス数を把握することができる。ＬＭＰメッセージの中にローカルの通信路の識別情報と、そのローカルの通信路と接続されると思われるリモート側の通信装置から見た通信路の識別情報とが記載される。ＬＭＰを実装したパス通信装置は、複数の通信路を集束して仮想大容量パスを構築する場合には、１本の通信路としてローカルの識別情報を管理する。
【００６６】
パス通信装置は、仮想大容量パスについて、リモートの下位レイヤパス通信装置との間でＬＭＰを交換する場合に、受信したＬＭＰメッセージの内容をそのまま解釈すると、ひとつの通信路（仮想大容量パス）に対して識別情報の異なる複数通信路がリモートとして接続されることになる。前記のＬＭＰ機能により、パス通信装置は、１本の仮想大容量パスを構成する場合に、リモートの下位レイヤパス通信装置が何本の通信路で構成されていると判断しているのか把握できる。
【００６７】
あるいは、パス通信装置がＯＳＰＦ、もしくはＢＧＰなどのルーティングプロトコルを利用して設定用下位レイヤパス数を把握することができる。ルーティングメッセージの中にローカルの通信路の識別情報が記載される。ルーティングメッセージを受信した通信装置は、ルーティングメッセージに記載されたリモート側の通信路が、そのルーティングメッセージを受信したローカルの通信路に接続していると把握できる。ルーティングプロトコルを実装したパス通信装置は、複数の通信路を集束して仮想大容量パスを構築する場合に、１本の通信路としてローカルの識別情報を管理する。
【００６８】
パス通信装置は、仮想大容量パスについて、リモートの下位レイヤパス通信装置との間でルーティングメッセージを交換する場合に、受信したルーティングメッセージの内容をそのまま解釈すると、ひとつの通信路（仮想大容量パス）に対して識別情報の異なる複数通信路がリモートとして接続されることになる。前記のルーティングプロトコル機能により、パス通信装置は、１本の仮想大容量パスを構成する場合に、リモートの下位レイヤパス通信装置が何本の通信路で構成されていると判断しているのか把握できる。
【００６９】
あるいは、パス通信装置がＲＳＶＰ−ＴＥ、もしくはＣＲ−ＬＤＰなどのシグナリングプロトコルを利用して設定用下位レイヤパス数を把握することができる。基本的には事前設定と同じであり、パス通信装置および下位レイヤパス通信装置の設定の中では、各通信路について、ローカル側での識別情報と、リモート側での識別情報を事前に記載しておく。また、シグナリングメッセージの中には、パス設定時もしくは削除時などにローカル側もしくはリモート側で使用する通信路の識別情報が記載される。そこで、パス通信装置には、下位レイヤパス通信装置、および対向側のパス通信装置に対して設定用シグナリングを行ってパスを設定する場合に、下位レイヤパス通信装置で使用する予定の通信路の識別情報が通知される。以上により、パス通信装置は、設定用下位レイヤパス数を把握できる。
【００７０】
次に、パス制御部は、図７に示されるパス制御シグナリングを利用し、下位レイヤパス制御部に対してパスの設定要求を行う。下位レイヤパス制御部は、受信した設定要求をもとに、下位レイヤパスおよび通信路を設定できるかを判断する。下位レイヤパス制御部は、設定できると判断すると、さらに隣接の下位レイヤパス制御部に設定要求を通知する。設定要求のリレーを繰り返し、パスの終点のパス制御部に設定要求を通知する。パスの終点のパス制御部は転送部に対してパスおよび通信路の設定を要求し、転送部は要求に応じてパスおよび通信路を設定する。
【００７１】
次に、パスの終点のパス制御部から下位レイヤパス制御部に対して設定完了を通知する。設定完了を受信した下位レイヤパス制御部は、下位レイヤパス制御部に対して下位レイヤパスおよび通信路の設定を要求する。前記のように設定完了の通知を繰り返し、パスの始点のパス制御部まで設定完了を通知する。パスの始点のパス制御部および転送部においてパスおよび通信路が設定されたあと、パス制御部は設定確認を下位レイヤパス制御部に送信する。下位レイヤパス制御部は設定を確認し、隣接の下位レイヤパス制御部に設定確認を送信する。設定確認の送信を繰り返し、パスの終点のパス制御部まで設定確認を通知する。
【００７２】
以上で１本のパスを設定可能となる。同じようなパス制御シグナリングをＮ回繰り返すことにより、パス通信装置から見て、Ｎ本の下位レイヤパス、および通信路上にＭ本の通信路、Ｎ本のパスを設定できる。
【００７３】
パス、下位レイヤパス、および通信路を設定できたあと、パスの始点と終点の転送部は、設定されたＭ本の通信路を仮想的に１本の仮想大容量パスに集束する。転送部のフォワーディング情報、ルーティング情報、もしくは負荷分配アルゴリズムなどを設定もしくは変更することにより、転送部は仮想大容量パスに流入するトラフィックをバイト単位、もしくはパケット単位にＭ本の通信路に振り分け、仮想大容量パスから流出するトラフィックをあたかも一つの通信路上を転送されたトラフィックとして取り扱うことができる。
【００７４】
上記の状態のままであると、パス通信装置は、パス制御部においてＮ本のパス、およびＭ本の通信路が設定された状態と、転送部において１本の通信路が設定された状態となり、転送部とパス制御部とで通信路の数の不一致が生じる。この時点で、転送部は、パス制御部との不一致を解消するため、ルーティング情報、フォワーディング情報、負荷分散アルゴリズムなどを転送部における通信路の状態にあわせて変更する。
【００７５】
以上により、図６の動作フローに従って、パス通信装置は、１本の仮想大容量パスと複数のパスとを設定できる。
【００７６】
パス通信装置が仮想大容量パス、およびパスを削除する場合について示す。
【００７７】
パス制御部は、パス制御部に設定された情報にもとづいて、Ｍ本の通信路を集束した仮想大容量パス、および仮想大容量パス上に設定されたパスを削除する場合に、下位レイヤパス通信装置の網においてＮ本の下位レイヤパスおよび通信路を削除する必要があると認識できる。通常、ＭとＮとは同じ数である。
【００７８】
次に、パスの始点と終点の転送部は、転送部のフォワーディング情報、ルーティング情報、もしくは負荷分散アルゴリズムなどを変更し、転送部のフォワーディング情報、ルーティング情報、もしくは負荷分散アルゴリズムの中から仮想大容量パスの存在を消去する。パス通信装置は、ルーティング情報、フォワーディング情報、もしくは負荷分散アルゴリズムの中から消去された通信路に向けてトラフィック転送を行わない。これにより、後にパス、下位レイヤパス、通信路などを削除してもトラフィックロスを発生しない。
【００７９】
次に、パスの始点と終点の転送部は、転送部のフォワーディング情報、ルーティング情報、もしくは負荷分散アルゴリズムなどを変更し、仮想大容量パスを構成する全ての通信路を集束状態から開放する。
【００８０】
次に、パス制御部は、図７に示されるパス制御シグナリングを利用し、下位レイヤパス制御部に対してパスの削除要求を行う。このとき、転送部では通信路の削除を行う。下位レイヤパス制御部は、受信した削除要求をもとに、下位レイヤパスおよび通信路を削除する。下位レイヤパス制御部は、さらに隣接の下位レイヤパス制御部に削除要求を通知する。削除要求のリレーを繰り返し、パスの終点のパス制御部に削除要求を通知する。パスの終点のパス制御部は転送部に対してパスおよび通信路の削除を行う。
【００８１】
以上で１本のパスを削除可能となる。同じようなパス制御シグナリングをＮ回繰り返すことにより、パス通信装置から見て、削除対象のＮ本の下位レイヤパス、および通信路上に設定されていたＭ本の通信路、Ｎ本のパスを削除できる。
【００８２】
以上により、図６の動作フローに従って、パス通信装置は、１本の仮想大容量パスと複数のパスとを削除できる。
【００８３】
（第二実施例）
第二実施例を図８および図９を参照して説明する。図８は第二実施例の全体の動作フロー示す図である。図９は第二実施例のパス制御フローを示す図である。
【００８４】
図８のように、最初にパス、下位レイヤパス、通信路などを設定する場合と、増設する場合と、削除する場合と、削減する場合とに分かれる。第一実施例では、設定する場合と、削除する場合について示した。
【００８５】
次に、パス通信装置が、対向側のパス通信装置との間で、仮想大容量パスにＭ本の通信路を増設する場合について示す。パス通信装置は、対向側のパス通信装置との間で、既にＫ本のパス、およびＬ本の通信路を設定した状態にあり、Ｌ本の通信路を仮想的に１本に束ねた仮想大容量パスを集束した状態にある。通常、ＫとＬとは同数である。
【００８６】
パス制御部は、パス制御部に設定された情報にもとづいて、仮想大容量パスにＭ本の通信路を増設する場合に、下位レイヤパス通信装置の網においてＮ本の下位レイヤパスおよび通信路を増設する必要があると認識できる。通常、ＭとＮとは同数である。
【００８７】
次に、パス制御部は、図９に示されるパス制御シグナリングを利用し、下位レイヤパス制御部に対してパスの設定要求を行う。下位レイヤパス制御部は、受信した設定要求をもとに、下位レイヤパスおよび通信路を設定できるのかを判断する。下位レイヤパス制御部は、設定できると判断すると、さらに隣接の下位レイヤパス制御部に設定要求を通知する。設定要求のリレーを繰り返し、パスの終点のパス制御部に設定要求を通知する。パスの終点のパス制御部は転送部に対してパスおよび通信路の設定を要求し、転送部は要求に応じてパスおよび通信路を設定する。
【００８８】
次に、パスの終点のパス制御部から下位レイヤパス制御部に対して設定完了を通知する。設定完了を受信した下位レイヤパス制御部は、他の下位レイヤパス制御部に対して下位レイヤパスおよび通信路の設定を要求する。前記のように設定完了の通知を繰り返し、パスの始点のパス制御部まで設定完了を通知する。パスの始点のパス制御部および転送部において、パスおよび通信路が設定された後、パス制御部は設定確認を下位レイヤパス制御部に送信する。下位レイヤパス制御部は設定を確認し、隣接する下位レイヤパス制御部に設定確認を送信する。設定確認の送信を繰り返し、パスの終点のパス制御部まで設定確認を通知する。
【００８９】
以上で１本のパスを増設可能となる。同じようなパス制御シグナリングをＮ回繰り返すことにより、パス通信装置から見て、Ｎ本の下位レイヤパス、および通信路上にＭ本の通信路、Ｎ本のパスを増設できる。
【００９０】
パス、下位レイヤパス、および通信路を増設できたあと、パスの始点と終点の転送部は、増設されたＭ本の通信路を既設の仮想大容量パスに集束する。転送部のフォワーディング情報、ルーティング情報、もしくは負荷分配アルゴリズムなどを設定もしくは変更することにより、転送部は仮想大容量パスに流入するトラフィックをバイト単位、もしくはパケット単位に（Ｍ＋Ｌ）本の通信路に振り分け、仮想大容量パスから流出するトラフィックをあたかも一つの通信路上を転送されたトラフィックとして取り扱うことができる。
【００９１】
上記の状態のままであると、パス通信装置は、パス制御部において（Ｋ＋Ｎ）本のパス、および（Ｌ＋Ｍ）本の通信路が設定された状態と、転送部において１本の通信路が設定された状態となり、転送部とパス制御部とで通信路の数の不一致が生じる。この時点で、転送部は、パス制御部との不一致を解消するため、ルーティング情報、フォワーディング情報、負荷分散アルゴリズムなどを転送部における通信路の状態にあわせて変更する。
【００９２】
以上により、図８の動作フローに従って、パス通信装置は、既設の仮想大容量パスを構成する通信路の数を増設できる。
【００９３】
パス通信装置が、対向側のパス通信装置との間で、仮想大容量パスからＭ本の通信路を削減する場合について示す。パス通信装置は、対向側のパス通信装置との間で、既にＫ本のパス、およびＬ本の通信路を設定した状態にあり、Ｌ本の通信路を仮想的に１本に束ねた仮想大容量パスを集束した状態にある。通常、ＫとＬとは同数である。
【００９４】
パス制御部は、パス制御部に設定された情報にもとづいて、仮想大容量パスからＭ本の通信路を削減する場合に、下位レイヤパス通信装置の網においてＮ本の下位レイヤパスおよび通信路を削減する必要があると認識できる。
【００９５】
次に、パスの始点と終点の転送部は、転送部のフォワーディング情報、ルーティング情報、もしくは負荷分配アルゴリズムなどを変更し、仮想大容量パスを構成する通信路群の中から削減される通信路を集束状態から開放する。
【００９６】
次に、パスの始点と終点の転送部は、転送部のフォワーディング情報、ルーティング情報、もしくは負荷分配アルゴリズムなどを変更し、転送部のフォワーディング情報、ルーティング情報、もしくは負荷分配アルゴリズムの中から削除される通信路の存在を消去する。パス通信装置は、ルーティング情報、フォワーディング情報、もしくは負荷分配アルゴリズムの中から消去された通信路に向けてトラフィック変更を行わない。これにより、後にパス、下位レイヤパス、通信路などを削除してもトラフィックロスを発生しない。
【００９７】
次に、パス制御部は、図９に示されるパス制御シグナリングを利用し、下位レイヤパス制御部に対して仮想大容量パスから開放されたパスの削除要求を行う。このとき、転送部では仮想大容量パスから開放された通信路の削除を行う。下位レイヤパス制御部は、受信した削除要求をもとに、下位レイヤパスおよび通信路を削除する。下位レイヤパス制御部は、さらに隣接の下位レイヤパス制御部に削除要求を通知する。削除要求のリレーを繰り返し、パスの終点のパス制御部に削除要求を通知する。パスの終点のパス制御部は転送部に対してパスおよび通信路の削除を行う。
【００９８】
以上で１本のパスを削除可能となる。同じようなパス制御シグナリングをＮ回繰り返すことにより、パス通信装置から見て、削除対象のＮ本の下位レイヤパス、および通信路上に設定されていたＭ本の通信路、Ｎ本のパスを削除できる。
【００９９】
以上により、図８の動作フローに従って、パス通信装置は、既設の仮想大容量パスを構成する通信路の数を削減できる。
【０１００】
（第三実施例）
第三実施例を図１０〜図１５を参照して説明する。図１０〜図１５は第三実施例の全体的な動作フローを示す図である。第三実施例では、パス通信装置としてルータを想定しており、下位レイヤパス通信装置としてＯＸＣ（光クロスコネクト装置）を想定している。
【０１０１】
第三実施例で示される全体動作のフローは、基本的に、第一および第二実施例と同じである。ただし、図１０の例は、ＬＭＰによる設定用または削除用または増設用または削減用レイヤパス数把握ステップ、Ｌｉｎｋ  Ａｇｇｒｅｇａｔｉｏｎによる設定用集束または削除用開放または増設用集束変更または削減用集束変更ステップ、ＧＭＰＬＳによる設定用パス制御シグナリングまたは削除用パス制御シグナリングまたは増設用パス制御シグナリング削減用パス制御シグナリングを用いた例である。
【０１０２】
図１１の例は、シグナリングによる設定用下位レイヤパス数把握または削除用下位レイヤパス数把握または増設用下位レイヤパス数把握または削減用下位レイヤパス数把握ステップ、Ｌｉｎｋ  Ａｇｇｒｅｇａｔｉｏｎによる設定用集束または削除用開放または増設用集束変更または削減用集束変更ステップ、ＧＭＰＬＳによる設定用パス制御シグナリングまたは削除用パス制御シグナリングまたは増設用パス制御シグナリングまたは削減用パス制御シグナリングステップを用いた例である。
【０１０３】
図１２の例は、ルーティングによる設定用下位レイヤパス数把握または削除用下位レイヤパス数把握または増設用下位レイヤパス数把握または削減用下位レイヤパス数把握ステップ、Ｌｉｎｋ  Ａｇｇｒｅｇａｔｉｏｎによる設定用集束または削除用開放または増設用集束変更または削減用集束変更ステップ、ＧＭＰＬＳによる設定用パス制御シグナリングまたは削除用パス制御シグナリングまたは増設用パス制御シグナリング削減用パス制御シグナリングステップを用いた例である。
【０１０４】
図１３の例は、ＬＭＰによる設定用下位レイヤパス数把握または削除用下位レイヤパス数把握または増設用下位レイヤパス数把握または削減用下位レイヤパス数把握ステップ、Ｌｉｎｋ  Ａｇｇｒｅｇａｔｉｏｎによる設定用集束または削除用開放または増設用集束変更または削減用集束変更ステップ、ＯＵＮＩとＧＭＰＬＳによる設定用パス制御シグナリングまたは削除用パス制御シグナリングまたは増設用パス制御シグナリングまたは削減用パス制御シグナリングステップを用いた例である。
【０１０５】
図１４の例は、ＬＭＰによる設定用下位レイヤパス数把握または削除用下位レイヤパス数把握または増設用下位レイヤパス数把握または削減用下位レイヤパス数把握ステップ、Ｌｉｎｋ  Ａｇｇｒｅｇａｔｉｏｎによる設定用集束または削除用開放または増設用集束変更または削減用集束変更ステップ、ＧＭＰＬＳ−ＵＮＩとＧＭＰＬＳによる設定用パス制御シグナリングまたは削除用パス制御シグナリングまたは増設用パス制御シグナリングまたは削減用パス制御シグナリングステップを用いた例である。
【０１０６】
図１５の例は、ＬＭＰによる設定用下位レイヤパス数把握または削除用下位レイヤパス数把握または増設用下位レイヤパス数把握または削減用下位レイヤパス数把握ステップ、ＰＰＰＭＰによる設定用集束または削除用開放または増設用集束変更または削減用集束変更ステップ、ＧＭＰＬＳによる設定用パス制御シグナリングまたは削除用パス制御シグナリングまたは増設用パス制御シグナリングまたは削減用パス制御シグナリングステップを用いた例である。
（第四実施例）
第四実施例を図１６を参照して説明する。図１６は第四実施例の全体動作フローを示す図である。第四実施例では、パス通信装置としてＳＯＮＥＴ／ＳＤＨ転送装置を想定しており、下位レイヤパス通信装置としてＯＸＣを想定している。
【０１０７】
第四実施例で示される全体動作フローは、基本的に第一および第二実施例と同じであり、第四実施例では、特に、ＳＯＮＥＴ／ＳＤＨ転送装置を利用した場合の実施例である。ＬＭＰによる設定用下位レイヤパス数把握または削除用下位レイヤパス数把握または増設用下位レイヤパス数把握または削減用下位レイヤパス数把握ステップ、Ｖｅｒｔｕａｌ  Ｃｏｎｃａｔｅｎａｔｉｏｎによる設定用集束または削除用開放または増設用集束変更または削減用集束変更ステップ、ＧＭＰＬＳによる設定用パス制御シグナリングまたは削除用パス制御シグナリングまたは増設用パス制御シグナリングまたは削減用パス制御シグナリングステップを用いた例である。
【０１０８】
（第五実施例）
第五実施例を図１７を参照し説明する。図１７は第五実施例の全体動作フローを示す図である。第五実施例では、パス通信装置としてルータを想定しており、下位レイヤパス通信装置としてＯＸＣを想定している。第五実施例で示される全体動作のフローは、基本的に第一および第二実施例と同じである。
【０１０９】
ＬＭＰによる設定用下位レイヤパス数把握または削除用下位レイヤパス数把握または増設用下位レイヤパス数把握または削減用下位レイヤパス数把握ステップ、Ｌｉｎｇ  Ａｇｇｒｅｇａｔｉｏｎによる設定用集束ステップ、ＧＭＰＬＳによる設定用パス制御シグナリングまたは削除用パス制御シグナリングまたは増設用パス制御シグナリングまたは削減用パス制御シグナリングステップ、Ｖｉｒｔａｌ  Ｃｏｎｃａｔｅｎａｔｉｏｎによる削除用開放または増設用集束変更または削減用集束変更ステップを用いた例である。
【０１１０】
パス、下位レイヤパス、通信路を設定する場合には、一般的に、最後のステップとしてパス管理ステップを行う。これにより、パス制御部は、複数のパスを関連付けでき、今後、パス、通信路、下位レイヤパスを削除する場合、通信路を増設する場合、および通信路を削除する場合、設定すべきパス、もしくは削除すべきパスを認識できる。ただし、パス管理ステップを他のタイミングで行ってもよい。また、設定用パス制御シグナリングステップと統合されてもよい。
【０１１１】
パス、下位レイヤパス、通信路を削除する場合には、一般的に、最初のステップとしてパス管理ステップを行う。これにより、パス制御部は、複数のパスを関連付けでき、削除すべきパスを認識できる。ただし、パス管理ステップを他のタイミングで行ってもよい。また、削除用パス制御シグナリングステップと統合されてもよい。
【０１１２】
パス、下位レイヤパス、通信路を増設する場合には、一般的に、最初のステップ、および最後のステップにおいてパス管理ステップを行う。これにより、パス制御部は、複数のパスを関連付けでき、設定すべきパスを認識でき、また、増設後に新たなパスの関連付けを行える。ただし、パス管理ステップを他のタイミングで行ってもよい。また、増設用パス制御シグナリングステップと統合されてもよい。
【０１１３】
パス、下位レイヤパス、通信路を削減する場合には、一般的に、最初のステップ、および最後のステップにおいてパス管理ステップを行う。これにより、パス制御部は、複数のパスを関連付けでき、削除すべきパスを認識でき、また、削減後に新たなパスの関連付けを行える。ただし、パス管理ステップを他のタイミングで行ってもよい。また、削除用パス制御シグナリングステップと統合されてもよい。
【産業上の利用可能性】
【０１１４】
本発明によれば、ルータもしくはレイヤ２／３スイッチにより複数の通信路を仮想的な仮想大容量パスとして集束し、この仮想大容量パス毎に仮想大容量パスを設定する際に、従来のパス制御シグナリングプロトコルを実装されたルータもしくはレイヤ２／３スイッチが介在していても、仮想大容量パス毎に仮想大容量パスを設定することができ、所望の通信路を設定することができる。
【図面の簡単な説明】
【０１１５】
【図１】本発明の原理を説明するための図。
【図２】本発明が適用されるネットワーク構成の一例を示す図。
【図３】本発明で実施されるパス、通信路、下位レイヤパスの設定および増設のシグナリングフローの一例を示す図。
【図４】本発明で実施されるパス、通信路、下位レイヤパスの削除および削減のシグナリングフローの一例を示す図。
【図５】本発明で実施されるパス、通信路、下位レイヤパスの設定および増設のシグナリングフローと、削除および削減のシグナリングフローの一例を示す図。
【図６】第一実施例の全体の動作フローを示す図。
【図７】第一実施例のパス制御シグナリングフローを説明するための図。
【図８】第二実施例の全体の動作フローを示す図。
【図９】第二実施例のパス制御シグナリングフローを説明するための図。
【図１０】第三実施例の全体の動作フローを示す図（その１）。
【図１１】第三実施例の全体の動作フローを示す図（その２）。
【図１２】第三実施例の全体の動作フローを示す図（その３）。
【図１３】第三実施例の全体の動作フローを示す図（その４）。
【図１４】第三実施例の全体の動作フローを示す図（その５）。
【図１５】第三実施例の全体の動作フローを示す図（その６）。
【図１６】第四実施例の全体の動作フローを示す図。
【図１７】第五実施例の全体の動作フローを示す図。
【符号の説明】
【０１１６】
１０、１１  パス通信装置
２０、２１  下位レイヤパス通信装置
【図１】
0004425201.tif 000002
【図２】
0004425201.tif 000003
【図３】
0004425201.tif 000004
【図４】
0004425201.tif 000005
【図５】
0004425201.tif 000006
【図６】
0004425201.tif 000007
【図７】
0004425201.tif 000008
【図８】
0004425201.tif 000009
【図９】
0004425201.tif 000010
【図１０】
0004425201.tif 000011
【図１１】
0004425201.tif 000012
【図１２】
0004425201.tif 000013
【図１３】
0004425201.tif 000014
【図１４】
0004425201.tif 000015
【図１５】
0004425201.tif 000016
【図１６】
0004425201.tif 000017
【図１７】
0004425201.tif 000018